(57)【要約】  より小さな設置面積の電子デバイスは、ウェアラブルハウジング、例えば、ユーザの手首に着用される時計の部分を形成するハウジングを含み得る。アンテナをそのような小さな設置面積のデバイスに組み込むことは、多くの場合、別のデバイスとの短い範囲の通信以外の、いかなる使用も不可能にする。アンテナを時計バンドまたはブレスレットに組み込むことは、そのようなより小さな設置面積の電気デバイスの、長い範囲の通信能力、および、その結果としての実用性を、改善するために可能な手段を提供する。
2018523325.tif 000002
【特許請求の範囲】
【請求項１】
少なくとも部分的にハウジングに配置され、前記ハウジングの外面から延在する少なくとも１つのアンテナと通信可能に結合される、電子回路基板と、
四肢に着用されるよう適合された構造体であって、前記ハウジングに物理的および導電的に結合される第１の部材と、前記ハウジングに物理的に結合される第２の部材とを有する、構造体と、を備え、
前記第２の部材が、前記少なくとも１つのアンテナのうち少なくとも部分を組み込む、
ウェアラブル電子デバイス。
【請求項２】
前記ウェアラブル電子デバイスが、手首に着用されるように適合される、請求項１に記載のウェアラブル電子デバイス。
【請求項３】
前記第１の部材が、導電性の第１のセグメントを備え、前記導電性の第１のセグメントが、前記ハウジングに物理的および導電的に結合される、請求項２に記載のウェアラブル電子デバイス。
【請求項４】
前記第１の部材が、非導電性の第２のセグメントをさらに備え、前記非導電性の第２のセグメントが、導電性の第１のセグメントに物理的に結合される、請求項３に記載のウェアラブル電子デバイス。
【請求項５】
前記第２の部材が、非導電性の第１のセグメントを備え、前記非導電性の第１のセグメントが、ハウジングに物理的に結合され、前記第２の部材が、前記非導電性の第１のセグメントに、前記少なくとも１つのアンテナの少なくとも部分を封止することによって、前記少なくとも１つのアンテナのうち前記部分を組み込む、請求項３に記載のウェアラブル電子デバイス。
【請求項６】
前記第１の部材の第２のセグメントを、前記第２の部材に物理的に結合する、少なくとも１つのファスナをさらに備える、請求項５に記載のウェアラブル電子デバイス。
【請求項７】
前記第１の部材および前記第２の部材は、導電性の硬い部材を備え、前記硬い第１の部材と前記硬い第２の部材とは、前記ハウジングと一体的に形成される、請求項２に記載のウェアラブル電子デバイス。
【請求項８】
第１の端部および第２の端部を有する導電性の第３の部材をさらに備え、前記第１の端部は非導電性のヒンジを介して前記第１の部材に旋回可能に結合され、前記第３の部材の前記第１の端部は、前記第１の部材に物理的に接触しない、請求項７に記載のウェアラブル電子デバイス。
【請求項９】
前記電子回路基板を前記第３の部材の前記第１の端部に電気的に結合する複数の導電体をさらに備える、請求項８に記載のウェアラブル電子デバイス。
【請求項１０】
前記複数の導電体が同軸ケーブルを備える、請求項９に記載のウェアラブル電子デバイス。
【請求項１１】
前記第３の部材の前記第２の端部を、前記第２の部材に物理的および導電的に結合する、少なくとも１つの取り外し可能なラッチをさらに備え、
前記第３の部材の少なくとも部分は、前記少なくとも１つのアンテナの少なくとも部分を提供する、
請求項１０に記載のウェアラブル電子デバイス。
【請求項１２】
前記ハウジングは、前記ハウジングへの前記第１の部材の第１の取り付け点と、前記ハウジングへの前記第２の部材の第２の取り付け点との間で測定された第１の長さを有する金属製の材料を備え、
前記第１の部材は、前記第１の取り付け点から導電性セグメントのエンドポイントまで測定された第２の長さを有する前記導電性セグメントを備え、
前記少なくとも１つのアンテナの長さ、前記第１の長さ、および前記第２の長さの合計は、前記少なくとも１つのアンテナの動作周波数の波長におよそ等しい、
請求項１から１１のいずれか一項に記載のウェアラブル電子デバイス。
【請求項１３】
前記少なくとも１つのアンテナは、約１．５７５ＧＨｚの周波数、約２．４ＧＨｚの周波数、約８２４ＭＨｚから約９６０ＭＨｚの周波数帯域、または、約１７１０ＭＨｚから約２１７０ＭＨｚの周波数帯域のうち、１つの周波数で動作するアンテナを含む、請求項１から１１のいずれか一項に記載のウェアラブル電子デバイス。
【請求項１４】
前記少なくとも１つのアンテナは、約１．５７５ＧＨｚの周波数で動作する第１のアンテナと、約８２４ＭＨｚから約９６０ＭＨｚの周波数帯域、または約１７１０ＭＨｚから約２１７０ＭＨｚの周波数帯域で動作する第２のアンテナと、を含む、請求項１から１１のいずれか一項に記載のウェアラブル電子デバイス。
【請求項１５】
前記電子回路基板は、前記第１のアンテナと通信可能に結合されるローパスマッチング回路と、前記第２のアンテナと通信可能に結合されるハイパスマッチング回路と、をさらに含む、請求項１４に記載のウェアラブル電子デバイス。
【請求項１６】
少なくとも１つのアンテナをウェアラブル電子デバイスと組み合わせる方法であって、
前記少なくとも１つのアンテナを、少なくとも部分的にハウジングに配置される電子回路基板に、導電的に結合する段階と、
前記少なくとも１つのアンテナを、前記電子回路基板から前記ハウジングの外部の位置に延在させる段階と、
第１の部材の第１の端部を、前記ハウジングの第１の位置に物理的および導電的に結合する段階と、
第２の部材の第１の端部を、前記ハウジングの第２の位置に物理的に結合する段階であって、前記ハウジングの前記第２の位置が、前記ハウジングの前記第１の位置から第１の距離だけ分離している、結合する段階と、
前記第２の部材に前記少なくとも１つのアンテナを組み込む段階と、を備える、方法。
【請求項１７】
前記少なくとも１つのアンテナを前記第２の部材に組み込む段階は、
前記第２の部材の前記第１の端部の少なくとも部分を形成する非導電性材料に、前記少なくとも１つのアンテナの少なくとも部分を、少なくとも部分的に封止する段階を備える、
請求項１６に記載の方法。
【請求項１８】
第１の部材の第１の端部を前記ハウジングの第１の位置に物理的および導電的に結合する段階は、導電性の硬い第１の部材の前記第１の端部を、前記ハウジングの少なくとも部分と一体的に形成する段階を備え、
第２の部材の第１の端部を前記ハウジングの第２の位置に物理的に結合する段階は、導電性の硬い第２の部材の前記第１の端部を、前記ハウジングの少なくとも部分と一体的に形成する段階を備える、
請求項１６に記載の方法。
【請求項１９】
少なくとも１つの非導電性のヒンジ式接続によって、導電性の硬い第３の部材の第１の端部を、前記第１の部材の第２の端部と、物理的に分離させて旋回可能に結合する段階をさらに備える、請求項１８に記載の方法。
【請求項２０】
前記導電性の硬い第１の部材の少なくとも部分を通って延在し、それから電気的に隔離される、複数の導電体を介して、前記硬い第３の部材の前記第１の端部を前記電子回路基板に導電的に結合する段階をさらに備える、
請求項１９に記載の方法。
【請求項２１】
少なくとも部分的にハウジングに配置された電子回路基板に、前記少なくとも１つのアンテナを導電的に結合する段階は、第１のアンテナと第２のアンテナとを、少なくとも部分的に前記ハウジングに配置された前記電子回路基板に、導電的に結合する段階を備える、
請求項１６から２０のいずれか一項に記載の方法。
【請求項２２】
前記第１のアンテナを、約１．５７５ＧＨｚの周波数、約２．４ＧＨｚの周波数、約８２４ＭＨｚから約９６０ＭＨｚの周波数帯域、または、約１７１０ＭＨｚから約２１７０ＭＨｚの周波数帯域のうち１つで、動作するように構成する段階をさらに備える、
請求項２１に記載の方法。
【請求項２３】
約１．５７５ＧＨｚの周波数で動作する前記第１のアンテナに、ローパスマッチング回路を通信可能に結合する段階と、
前記第２のアンテナにハイパスマッチング回路を通信可能に結合する段階と、をさらに備える、
請求項２２に記載の方法。
【請求項２４】
少なくとも１つのアンテナを、少なくとも部分的にハウジングに配置される電子回路基板に、導電的に結合する手段と、前記少なくとも１つのアンテナを、前記電子回路基板から前記ハウジングの外部の位置に延在させる手段と、
第１の部材の第１の端部を、前記ハウジングの第１の位置に物理的および導電的に結合する手段と、
第２の部材の第１の端部を、前記ハウジングの第２の位置に物理的に結合する手段であって、前記ハウジングの前記第２の位置が、前記ハウジングの前記第１の位置から第１の距離だけ分離している、手段と、
前記少なくとも１つのアンテナを前記第２の部材に組み込む手段と、を備える、
ウェアラブル電子システム。
【請求項２５】
前記少なくとも１つのアンテナを前記第２の部材に組み込む前記手段が、
前記少なくとも１つのアンテナの少なくとも部分を、前記第２の部材の前記第１の端部の少なくとも部分を形成する非導電性材料に、少なくとも部分的に封止する手段を備える、
請求項２４に記載のウェアラブル電子システム。
【発明の詳細な説明】
【技術分野】
【０００１】
本開示はアンテナシステムに関する。
【背景技術】
【０００２】
電子機器、具体的にはコンピューティングデバイスの、サイズが常に減少し続けることにより、Ｇｏｏｇｌｅ  Ｇｌａｓｓ（登録商標）（Ｇｏｏｇｌｅ，ＩＮＣ．，マウンテンビュー，カリフォルニア州）、ＦｉｔＢｉｔ（登録商標）（ＦＩＴＢＩＴ  Ｉｎｃ．，サンフランシスコ，カリフォルニア州）、Ａｐｐｌｅ  Ｗａｔｃｈ（登録商標）（ＡＰＰＬＥ，ＩＮＣ．，Ｃｕｐｅｒｔｉｎｏ，カリフォルニア州）などの、ウェアラブルデバイスの新たな領域が開いている。これらのウェアラブルコンピューティングデバイスの多くは、少なくとも部分的に、ウェアラブルデバイスが小さくなるにつれ専有面積が本質的に限定されるため、限定された範囲で送受信機を含む。例えば、Ａｐｐｌｅ  Ｗａｔｃｈは、独立してセルラ電話の通話を認識することができず、セルラ電話の通話を認識または受信するためには、ｉＰｈｏｎｅ（登録商標）と組み合わせなければならない。
【０００３】
請求された主題の様々な実施形態の特徴および複数の利点は、以下の詳細な説明が進むにつれて、および、類似する符号は類似する部分を示す、図面を参照することによって、明らかになるであろう。
【図面の簡単な説明】
【０００４】
【図１】本開示の少なくとも一実施形態に係る、ウェアラブル電子デバイスに通信可能に結合されたウェアラブルアンテナシステムを含む、例としてのシステムを示すブロック図である。
【図２Ａ】本開示の少なくとも一実施形態に係る、腕時計の形態をとる、例としてのウェアラブル電子デバイスおよびアンテナシステムを示す平面図である。
【図２Ｂ】本開示の少なくとも一実施形態に係る、図２Ａに示された腕時計の形態をとる、例としてのウェアラブル電子デバイスおよびアンテナシステムを示す斜視図である。
【図３Ａ】本開示の少なくとも一実施形態に係る、閉じられた位置またはラッチされた位置にあるブレスレットの形態の、例としてのウェアラブル電子デバイスおよびアンテナシステムを示す斜視図である。
【図３Ｂ】本開示の少なくとも一実施形態に係る、開いた位置またはアンラッチされた位置にあるブレスレットの形態の、例としてのウェアラブル電子デバイスおよびアンテナシステムを示す斜視図である。
【図３Ｃ】本開示の少なくとも一実施形態に係る、閉じられた位置またはラッチされた位置にあるブレスレットの形態の、例としてのウェアラブル電子デバイスおよびアンテナシステムを示す立面図である。
【図４】本開示の少なくとも一実施形態に係る、ウェアラブル電子デバイスに通信可能に結合されたウェアラブルアンテナシステムを含む、例示的な方法の高レベルのフロー図である。
【図５】本開示の少なくとも一実施形態に係る、ヒンジ式ブレスレットの形態のウェアラブル電子デバイスに通信可能に結合されたウェアラブルアンテナシステムを含む、例示的な方法の高レベルのフロー図である。以下の詳細な説明は、示される実施形態が参照されながら進行することとなるが、多くの代替形態、修正形態およびそれの変形形態が、当技術分野の当業者には明らかであろう。
【発明を実施するための形態】
【０００５】
ウェアラブルなコンピューティングまたは電子デバイスの世界において、ファッションと通信システムとが相反するとき、所望の美観効果を維持する一方で、電子システム性能を最大化する最適な環境を提供するように、創造的な解決方法が必要とされる。有益なことに、材料および形態要因の使用に関して、ファッションの世界には制限がほとんど存在しない。そのような本質的な柔軟性は、消費者に対して訴求的で魅力的な態様で統合された金属製の構造体を含むウェアラブルアイテムを、ファッションデザイナーに、自由に作らせる。しかし、ウェアラブルな電子機器の設計者にとって、そのような金属製の構造体の、ごく近接またはその中のいずれかにアンテナが設置または配置される場合、そのような金属製の構造体は、アンテナ性能に深刻な劣化を起こさせ得る。実際のところ、金属製の構造体は、アンテナが実質的に動作不能にされるという、アンテナ性能への十分な障害を生じさせ得る。したがって、具体的には、多くの場合には電子デバイスとファッションステートメントとの組み合わせである、ウェアラブルデバイス内に見られる厳しい制約の中で、電子機器設計者は、多くの場合、アンテナと金属製の構造体との間に、可能な最も広い分離を提供しようと試みる。電子機器設計者が、電子デバイスのまわりのハウジング材料を非導電性材料に変更することによってアンテナ性能を向上することを試みる一方、そのような置き換えは、デバイスの美観価値に有害な損失を与えることがある。
【０００６】
示される例として、８００ＭＨｚセルラ帯域アンテナを用いる場合、そのようなアンテナは比較的大きくなり、全体として電子装置ハウジング内に配置される場合、比例して、より大きい設置面積が必要となる。さらに、そのようなアンテナは、容認できる水準の効率性で動作するために、著しくより大きいシャシまたはグランドプレーン（本明細書では「カウンターポイズ」と称される）を必要とし得る。いくつかの例において、ウェアラブルデバイスの部分（例えば、ブレスレットまたは手首バンドの部分）が、導電性材料から形成されて、電子装置ハウジングにカウンターポイズを提供し得る。それがなければ、電子装置ハウジングは小さいであろう。そのようなカウンターポイズは、無線通信用の電子デバイスによって用いられる１または複数のアンテナと反対側に、配置され得る。
【０００７】
ウェアラブル電子デバイスは、ハウジング内に配置される電子回路基板を含み得る。電子回路基板は、ハウジングの外面から延在する複数のアンテナに、通信可能に結合する。ウェアラブル電子デバイスは、四肢に着用されるよう適合された構造体をさらに含み得、構造体は、ハウジングに物理的および導電的に結合された第１の部材と、ハウジングに物理的に結合された第２の部材とを含み、第２の部材は、ハウジングから延在する少なくともいくつかのアンテナのうち少なくとも部分を組み込む。
【０００８】
ウェアラブル電子デバイスを有する複数のアンテナを組み合わせる方法は、アンテナのうちのそれぞれを、ハウジングに配置された電子回路基板に導電的に結合する段階を含み得る。方法は、ハウジングの外面から複数のアンテナを延在させることを、さらに含み得る。方法は、第１の部材の第１の端部をハウジングの第１の位置に物理的および導電的に結合する段階と、構造体の第２の部材の第１の端部をハウジングの第２の位置に物理的に結合する段階をさらに含み得、ハウジングの第２の位置は、ハウジングの第１の位置から第１の距離だけ分離される。方法は、ハウジングの外部から第２の部材へと突出する複数のアンテナのうち、少なくともいくつかを組み込むことを、さらに含み得る。
【０００９】
アンテナシステムは、内側の空間と、内側の空間内に全体的に、または部分的に、のいずれかに配置される電子回路基板と、を画定するハウジングを含み得る。電子デバイスは、ハウジングの外部から延在する、導電的に結合された複数のアンテナを含み得る。アンテナシステムは、第１の端部および第２の端部を有する柔軟な部材をまた含み得、柔軟な部材は、複数の導電性セグメントおよび複数の非導電性セグメントを含み、第１の端部は、ハウジングに第１の外部取り付け点で物理的に結合された非導電性セグメントを含み、第２の端部は、ハウジングに第２の外部取り付け点で物理的および導電的に結合された導電性セグメントを含み、複数のアンテナのそれぞれは、ハウジングの外部から、および、柔軟な部材の第１の端部の非導電性材料に、それぞれの距離で延在する。
【００１０】
ウェアラブル電子システムは、複数のアンテナを、ハウジングに配置された電子回路基板に導電的に結合する手段と、ハウジングの外面から複数のアンテナを延在させる手段と、を含み得る。ウェアラブルアンテナシステムは、第１の部材の第１の端部からハウジングの第１の位置に、物理的および導電的に結合する手段をさらに含み得る。ウェアラブルアンテナシステムは、構造体の第２の部材の第１の端部をハウジングの第２の位置に物理的に結合する手段であって、ハウジングの第２の位置は、ハウジングの第１の位置から第１の距離だけ分離される、手段と、第２の部材に、ハウジングの外面から延在するアンテナの部分を組み込む手段とを、また含み得る。
【００１１】
図１は、本開示の少なくとも一実施形態に係る、ハウジング１０６に物理的に結合された第２の部材１１０と統合された複数のアンテナ１１２Ａ−１１２ｎ（集合的には、アンテナ１１２）に通信可能に結合された少なくとも１つの電子デバイス１０４を有するハウジング１０６に、物理的および導電的に結合された第１の部材１０８を含む、例としてのウェアラブル電子デバイス１０２が、１または複数のネットワーク接続デバイスと無線通信可能である、ネットワークシステム１００を示す。ウェアラブル電子デバイス１０２は、１または複数のコンピュータ１２０、１または複数のサーバ１３０、１または複数のリモートデータストレージセンター１４０、１または複数のポータブル、ウェアラブル、セルラ、スマートフォン、もしくはハンドヘルド電子デバイス１５０、またはそれらの組み合わせと、１または複数のネットワーク１６０を介して、一方向または双方向に通信し得る。そのような通信可能な結合は、オーディオおよびビデオデータ、ならびにテキストおよびＩＰデータを含むが、それに限定されないデータを、ウェアラブル電子デバイス１００から、１または複数のセルラ電話またはスマートフォン１５０などの１または複数の持ち運び可能な電子デバイスへ、伝達することを促進し得る。そのような通信可能な結合は、ウェアラブル電子デバイス１０２による、ウェブページなどの、データの受信を、また促進し得る。
【００１２】
電子デバイス１０４は、以下の、１または複数の受信機、１または複数の送受信機、１または複数のコントローラ、１または複数のプロセッサ、１または複数のマイクロプロセッサ、１または複数のユーザ入力デバイス、１または複数の出力デバイス、１または複数のセンサ、および同様のもののうち、任意のいくつか、または任意の組み合わせを含む、任意の現在または将来に開発される電子デバイスを含み得る。いくつかの例において、電子デバイス１０６は、１または複数の単一コアまたはマルチコアプロセッサ、単一コアまたはマルチコアマイクロプロセッサ、１または複数のシステムオンチップ（ＳｏＣ）、１または複数の縮小命令セットコンピュータ（ＲＩＳＣ）、１または複数の特定用途向け集積回路（ＡＳＩＣ）、１または複数のデジタル信号プロセッサ（ＤＳＰ）、またはそれらの組み合わせを含み得る。いくつかの実装において、電子デバイス１０６は、回路によって実行されると、回路を１または複数の特化された、または特定の回路に変換する、機械可読命令を実行可能な、１または複数の回路を含み得る。そのような機械読み取り可能な命令は、回路に通信可能に結合されたローカルストレージデバイス（例えば、ウェアラブル電子デバイス１０２にローカルなストレージデバイス）に、全体的又は部分的に格納され得る。そのような機械読み取り可能な命令は、ネットワーク１６０を介してアクセスされる、１または複数のサーバ１３０または１または複数のデータストレージセンター１４０に、全体的又は部分的に格納され得る。
【００１３】
電子デバイス１０４は、少なくとも部分的にハウジング１０６によって形成される空間、空隙、または空洞内に、全体的又は部分的に配置され得る。ハウジング１０６は、１または複数の、導電性金属または導電性金属を含む合金などの、導電性材料を用いて形成される、シャシまたは同様の構造体を、全体的又は部分的に含み得る。いくつかの例において、導電性ハウジング１０６は、複数のアンテナ１１２のうちいくつかまたは全てに対するグランドプレーンの少なくとも部分を提供し得る。ウェアラブル電子デバイス１０２の比較的小さい設置面積が与えられると、そのようなグランドプレーンは不適切なことがあり、全てのアンテナ１１２、または、少なくともいくつかのアンテナ１１２の、性能に損失を与えることがある。いくつかの実装において、ハウジング１０６の少なくとも部分は、少なくとも無線周波数スペクトル（例えば、約３ｋＨｚから約３００ＧＨｚまで）の電磁放射線を透過するか半透過する材料から形成され得る。
【００１４】
第１の部材１０８は、ウェアラブル電子デバイス１０２の、ユーザまたはユーザによって着用される物品への、取り付け、固着、または、そうでなければ、恒久的な、もしくは着脱可能な結合に適切な、任意のデバイス、システム、またはシステムおよびデバイスの組み合わせを含み得る。一例において、第１の部材１０８は、ユーザの腕のまわりの着用に適合された、時計バンドまたはブレスレットの部分などの柔軟な部材を含み得る。別の例において、第１の部材１０８は、ユーザの腕のまわりの着用に適合された、ブレスレットまたは同様のデバイスの部分などの、硬い、またはやや硬い部材を含み得る。
【００１５】
いくつかの例において、第１の部材１０８は、ハウジング１０６に物理的および導電的に結合され得る。例えば、第１の部材１０８は、第１の部材１０８をハウジング１０６に恒久的に、または着脱可能に取り付けるように、金属製の、または同様の導電性部材を用いてハウジング１０６に旋回可能に結合され得る。別の例において、第１の部材１０８の全てまたは部分は、ハウジング１０６と一体的に形成され得る。別の例において、第１の部材１０８の全てまたは部分は、導電性接着剤によって、または溶接によってハウジング１０６に固着させられ得る。別の例において、第１の部材１０８の全てまたは部分は、ハウジング１０６と一体的に形成され得る。
【００１６】
ハウジング１０６に近接する第１の部材１０８の少なくとも部分は、例えば導電性金属または合金といった、導電性材料を用いて形成され得る。様々な実施形態において、第１の部材１０８は、一体的なまたは単一の部品構造であり得る。他の実施形態において、第１の部材１０８は、物理的に接続または結合された任意の数の部分またはセグメント、例えば、導電性の第１のセグメント１０８Ａおよび電気的絶縁性または非導電性の第２のセグメント１０８Ｂを含み得る。第１の部材１０８の第２のセグメント１０８Ｂ。
【００１７】
第１の部材１０８は、その全長のうち全てまたは部分において導電性であり得る。第１の部材１０８の導電性部分は、露出され得るか、または、構造体内の導電性要素がハウジング１０６に電気的に接続される限り、埋め込まれ、封入され、封止され、もしくはそうでなければ、部分的に、もしくは完全に、非導電性材料（例えば、革）で覆われ得る。そのような覆いは、第１の部材１０８の美観特徴を向上し得る。
【００１８】
ハウジング１０６は、第１の部材１０８のハウジング１０６への、および第２の部材１１０のハウジング１０６への接続点の間で測定された、長さ１１４を有し得る。第１の部材１０８の導電性の第１のセグメント１０８Ａは、第１の部材１０８の、ハウジング１０６との接続点から第１のセグメント１０８Ａの端部またはその範囲まで測定された、長さ１１６を有し得る。ハウジングの長さ１１４と第１の部材の第１のセグメント１０８Ａの長さとの合計は、適切なサイズおよび寸法のグランドプレーンまたはカウンターポイズを形成することによってアンテナ１１２の効率性を最適化する値などの、定義された値であり得る。一例において、ハウジングの長さ１１４と第１の部材の第１のセグメント１０８Ａの長さとの合計は、アンテナ１１２のうち１または複数によって送信または受信される信号周波数の波長の、およそ４分の１（１／４）からおよそ半分（１／２）に等しくなり得る。例として、アンテナの長さを含む、ハウジングの長さ１１４と第１の部材の第１のセグメント１０８Ａの長さとの合計は、理想的には、アンテナシステム全体（アンテナおよびグランドプレーン）を、所望の周波数（その高調波を含むであろう）で共振させる、電気的長さを有していなければならない。
【００１９】
第１の部材１０８の導電性セグメントは、１または複数の導電性材料を含み得る。一例において、第１の部材１０８の導電性セグメントは、１または複数の導電性金属または合金を用いて形成され得る。第１の部材１０８の導電性セグメントは、任意の形状、サイズ、または幾何学的構成を有し得る。例えば、第１の部材１０８の導電性セグメントは、第１の部材１０８の第１のセグメント１０８Ａと一致し得る。そのような例において、第１のセグメント１０８Ａは、固体の柔軟な金属リンク、または柔軟な金属格子タイプの時計バンドもしくはブレスレットを含み得る。いくつかの例において、例えば、時計バンドの部分を形成するのに硬い第１の部材１０８が用いられる場合、時計バンドの形状またはサイズは、ユーザの皮膚との接触が優先的に保持されるような態様であり得る。そのような例において、ブレスレットまたは時計バンドは、ブレスレットが、限定された数の皮膚接触点で接触を保持するような、または、アンテナ１１２の効率性を向上させる設計によって距離を置くような、内径を有し得る。
【００２０】
第１の部材１０８の非導電性セグメントは、任意の数、または任意の組み合わせの非導電性材料または電気的絶縁材料を含み得る。一例において、第１の部材１０８の非導電性セグメントは、革または布などの、１または複数の絶縁体を用いて形成され得る。第１の部材１０８の非導電性セグメントは、任意のサイズ、形状、または幾何学的構成を有し得る。例えば、第１の部材１０８の非導電性セグメントは、第１の部材１０８の第２のセグメント１０８Ｂと一致し得る。
【００２１】
いくつかの例において、第２の部材１１０は、ハウジング１０６に物理的に結合され得る。例えば、第２の部材１１０をハウジング１０６に恒久的に取り付けるように、第２の部材１１０は、ピンまたは同様の取り付けデバイスを用いてハウジング１０６と旋回可能に、または固定的に結合され得る。いくつかの実装において、ハウジング１０６の外面から延在する１または複数のアンテナ１１２は、第２の部材１１０の非導電性セグメントの内部に、または内側に設置または配置され得る。例えば、ハウジング１０６の外面から延在する１または複数のアンテナ１１２のうち全てまたは部分は、第２の部材１１０を提供するように用いられる非導電性材料内に（例えば、時計バンドの革の部分内に）、部分的にまたは完全に封止され得る。
【００２２】
ハウジング１０６の外部から延在するアンテナ１１２は、露出されたままにされ、第２の部材１１０の第１のセグメント１１０Ａに組み込まれ（例えば、埋め込まれ、封止され、またはそうでなければ覆われ）得る。アンテナ１１２は、ハウジング１０６内に配置される電子回路基板１０４と結合し、１または複数の開口、通路、または同様の管路を介して、ハウジング１０６から出る。第２の部材１１０の第１のセグメント１１０Ａは、ハウジング１０６に堅固に結合し得るか、機械的疲労に起因する損傷から、アンテナ１１２のハウジング１０６から出る部分を保護するように、回転または動作が限定または制限された取り付け固定具を用いて、ハウジング１０６に結合し得る。
【００２３】
様々な実施形態において、第２の部材１１０は一体的なまたは単一の部品構造を含み得る。例えば、第２の部材１１０は、布または革などの非導電性材料から製造された、単一の柔軟な部材を含み得る。他の実施形態において、第２の部材１１０は、物理的に接続された、または結合された、任意の数の部分またはセグメントに、含まれ得るか、割り当てられ得る。例えば、複数のアンテナ１１２が組み込まれ、封止され、収容され、またはそうでなければ配置され得る、非導電性または絶縁性の、第１のセグメント１１０Ａおよび導電性の第２のセグメント１１０Ｂである。
【００２４】
複数の実施形態において、柔軟な第１の部材１０８の第２のセグメント１０８Ｂは、導電性部分を含み得る。複数の実施形態において、柔軟な第２の部材１１０の第２のセグメント１１０Ｂは、導電性材料を含み得る。しかし、柔軟な第２の部材１１０の第２のセグメント１１０Ｂが１または複数のアンテナ１１２に近接する、柔軟な時計バンドまたは同様の器具として実装されるとき、柔軟な第１の部材１０８の第２のセグメント１０８Ｂ、および、柔軟な第２の部材１１０の第２のセグメント１１０Ｂの両方が、使用するときに共に結合する導電性材料を、含み得るわけではない。
【００２５】
硬いブレスレットなどの実装において、ハウジング１０６の全てまたは部分、硬い第１の部材１０８、および硬い第２の部材１１０は、１または複数の導電性材料を用いて一体的に形成され得る。そのような実装において、ブレスレットの部分を形成する硬い第２の部材１１０の全てまたは部分が、アンテナ１１２として機能するように、複数のアンテナ１１２のいくつかまたは全ては、硬い第２の部材１１０の非導電性セグメント１１０Ａの内側に設置または配置されるのではなく、代わりに、硬い第２の部材１１０に、組み込まれ、結合され、組み合わせられ、またはそうでなければ一体的に形成され得る。
【００２６】
複数のアンテナ１１２のそれぞれは、電子デバイス１０４の少なくとも１つの受信機、送信機、または送受信機に、通信可能に結合される。１または複数のアンテナ１１２のそれぞれは、同じまたは異なる長さ、送信特性、構造、または幾何学的形状を有し得る。いくつかの実装において、１つまたは複数のアンテナ１１２のうちの少なくとも１つは、約８２４メガヘルツ（ＭＨｚ）から約９６０ＭＨｚ、または約１．７１ギガヘルツ（ＧＨｚ）から約２．１７ＧＨｚの周波数で動作する、セルラ送受信機に結合されたアンテナを含み得る。いくつかの実装において、１つまたは複数のアンテナ１１２のうちの少なくとも１つは、約１．５７５ＧＨｚおよび１．６０２ＧＨｚの中央周波数でそれぞれ動作する、ジオロケーション（例えば、グローバルポジショニングシステムＧＰＳ、グローバルナビゲーション衛星システムＧＬＯＮＡＳＳ）受信機に結合されたアンテナを含み得る。いくつかの実装において、１つまたは複数のアンテナ１１２のうちの少なくとも１つは、約２．４ＧＨｚまたは約５ＧＨｚの周波数で動作する、ＢＬＵＥＴＯＯＴＨ（登録商標）またはＩＥＥＥ８０２．１１（Ｗｉ−Ｆｉ）送受信機に結合されるアンテナを含み得る。
【００２７】
少なくともいくつかの実装において、信号干渉が、複数のアンテナ１１２のうち２つまたはそれより多くの間で生じ得る。例えば、高帯域（１．７１ＧＨｚから２．１７ＧＨｚ）セルラアンテナとジオロケーションアンテナ（１．５７５ＧＨｚ）との間である。そのような例において、電子デバイス１０４は、２つのアンテナの隔離を向上させ、その結果、アンテナのそれらの効率性を向上させるように、第１のアンテナ１１２Ａのための適切なローパスマッチング回路、および、第２のアンテナ１１２Ｂのためのハイパスマッチング回路を含み得る。
【００２８】
ウェアラブル電子デバイス１０２は、ネットワーク１６０を介し、１または複数のリモートデバイスと、一方向または双方向に通信する。いくつかの例において、ネットワーク１６０は、１または複数のローカルエリアネットワーク（ＬＡＮ）、無線ローカルエリアネットワーク（ＷＬＡＮ）、１または複数のメトロポリタンエリアネットワーク（ＭＡＮ）、１または複数のセルラネットワーク（例えば、モバイルデバイスのためのグローバルシステム、すなわちＧＳＭ（登録商標）ネットワーク、符号分割多重アクセス、すなわちＣＤＭＡネットワーク）、または、ワールドワイドウェブすなわちインターネットなどの、１または複数の世界的規模のネットワークを含み得る。いくつかの実施形態において、１または複数のアンテナ１１２が用いられ、ネットワーク１６０を介して、１または複数のデスクトップ、ラップトップ、ノートブック、ウルトラポータブル、またはタブレットコンピュータなどの、１または複数のコンピューティングデバイス１２０と、一方向または双方向に通信可能に結合し得る。いくつかの実施形態において、１または複数のアンテナ１１２が用いられ、ネットワーク１６０を介して、１または複数のサーバ１３０と一方向または双方向に通信可能に結合し得る。いくつかの実施形態において、１または複数のアンテナ１１２が用いられ、ネットワーク１６０を介して、１または複数のネットワークストレージデバイス１４０と一方向または双方向に通信可能に結合し得る。いくつかの実施形態において、１または複数のアンテナ１１２が用いられ、ネットワーク１６０を介して、１または複数のセルラ電話、スマートフォン、パーソナルデジタルアシスタント、ウェアラブルコンピューティングデバイス、または同様のものなどの、１または複数の持ち運び可能な電子デバイス１５０と一方向または双方向に通信可能に結合し得る。
【００２９】
図２Ａおよび図２Ｂは、本開示の少なくとも一実施形態に係る、ハウジング１０６に物理的および導電的に結合される柔軟な第１の部材１０８と、ハウジング１０６に物理的に結合される柔軟な第２の部材１１０と、を有する腕時計２００の形態で、例としてのウェアラブル電子デバイス１０２を示す。複数の実施形態において、電子デバイス１０４は、電子デバイス１０２を、タイムキーパー／時計として、および通信デバイスとして様々に機能させる、任意の数の機械可読命令セットを含み得る。そのような実施形態において、電子デバイスは、ディスプレイデバイス２０２、オーディオ出力デバイス（例えば、スピーカ）２０４、オーディオ入力デバイス（例えば、マイク）２０６、および、プッシュボタンまたはスクロールホイールなどのユーザ入力デバイス２０８などの、様々な入力／出力（Ｉ／Ｏ）デバイスと通信可能に結合され得る。
【００３０】
柔軟な第１の部材１０８の第１のセグメント１０８Ａは、拡張されたグランドプレーンまたはアンテナカウンターポイズを提供する導電性構造体を含む。いくつかの実装において、柔軟な第１の部材１０８の第１のセグメント１０８Ａは、アンテナ性能に基づいて、または、少なくとも部分的に美観に基づいて選択された、１または複数の材料内に隠されるか、そうでなければ、部分的にまたは完全に覆われ得る。柔軟な第１の部材１０８の第１のセグメント１０８Ａは、美観に訴求的または魅力的な、導電性または非導電性材料に埋め込まれ得る。柔軟な第２の部材１１０の第１のセグメント１１０Ａは、ハウジング１０６の表面から延在する複数のアンテナ１１２が配置される、１または複数の非導電性材料を含む。柔軟な第２の部材１１０の第１のセグメント１１０Ａに、組み込まれるか、そうでなければ配置されるアンテナ１１２は、柔軟な第１の部材１０８の第１のセグメント１０８Ａに電気的に結合される。
【００３１】
柔軟な第１の部材１０８および柔軟な第２の部材１１０は、時計２００のリストバンドを形成するように、連結され得るか、そうでなければ接合され得る。図２Ａおよび図２Ｂに示されるように、柔軟な第１の部材１０８の第２の端部２１８および柔軟な第２の部材１１０の第２の端部２２０は、時計２００がユーザの腕に保持されるように、接合されるか、そうでなければ取り付けられ得る。
【００３２】
図２Ａおよび図２Ｂに示されるように、柔軟な第１の部材１０８および柔軟な第２の部材１１０はそれぞれ２つのセクション（１０８Ａ、１０８Ｂおよび１１０Ａ、１１０Ｂ）に分割されるが、柔軟な第１の部材１０８および柔軟な第２の部材１１０は、等しい数または等しくない数の部分に割り当てられ得る。さらに、当該部分のそれぞれは、等しい長さまたは等しくない長さを有し得る。部分の数または各部分の長さに関わらず、柔軟な第１の部材１０８の第１のセグメント１０８Ａは、１または複数のアンテナ１１２のためのカウンターポイズまたはグランドプレーンとして機能する。１または複数のアンテナ１１２のためのグランドプレーンとして機能するように、第１の柔軟な部材１０８の第１のセグメント１０８Ａは、導電性材料から製造される。１または複数のアンテナ１１２の効率性を向上させるように、柔軟な第１の部材１０８の第１のセグメント１０８Ａは、１または複数のアンテナ１１２のそれぞれの動作周波数によって、少なくとも部分的に決定される長さであり得る。
【００３３】
同様に、部分の数または各部分の長さに関わらず、ハウジング１０６の外部から延在する複数のアンテナ１１２のうち少なくともいくつかは、柔軟な第２の部材１１０の第１のセグメント１１０Ａに組み込まれる。柔軟な第２の部材１１０の第１のセグメント１１０Ａは、非導電性材料を用いて形成または製造される。柔軟な第２の部材１１０の第１のセグメント１１０Ａのために非導電性材料を用いることにより、柔軟な第２の部材１１０の残りの部分から、および、柔軟な第２の表面に近接して配置された物体（例えば、時計バンド内に配置されたユーザの手首）の表面から、複数のアンテナ１１２のうち少なくともいくつかを絶縁する。１または複数のアンテナ１１２のうち少なくともいくつかの効率性を向上させるように、柔軟な第２の部材１１０の第１のセグメント１１０Ａは、１または複数のアンテナ１１２のそれぞれの動作周波数によって、少なくとも部分的に決定される長さであり得る。
【００３４】
実装において、柔軟な第１の部材１０８の第１のセグメント１０８Ａは、部分的にまたは完全に、非導電性材料に覆われ得るか、または封止されることさえあり得る。そのような実装において、柔軟な第１の部材１０８の第１のセグメント１０８Ａを覆うか封止するよう用いられる非導電性材料は、柔軟な第１の部材１０８の非導電性の第２のセグメント１０８Ｂを製造するよう用いられる非導電性材料とは、同じでも異なってもよい。いくつかの実装において、柔軟な第１の部材１０８の第２のセグメント１０８Ｂは、１または複数の導電性金属、または１または複数の導電性合金などの、導電性材料から製造され得る。
【００３５】
実装において、柔軟な第２の部材１１０の第２のセグメント１１０Ｂは、非導電性材料を全体的又は部分的に用いて製造され得る。そのような例において、柔軟な第２の部材１１０の第２のセグメント１１０Ｂのために用いられる非導電性材料は、柔軟な第２の部材１１０の第１のセグメント１１０Ａに組み込まれる１または複数のアンテナ１１２を封止する非導電性材料とは、同じでも異なってもよい。
【００３６】
１または複数のアンテナ１１２は、電気回路基板１０４およびハウジング１０６を介して、柔軟な第１の部材１０８の第１のセグメント１０８Ａによって形成されたグランドプレーンと電気的に結合する。柔軟な第１の部材１０８が第１のセグメント１０８Ａと第２のセグメント１０８Ｂとに割り当てられ、第２の部材１１０が第１のセグメント１１０Ａと第２のセグメント１１０Ｂとに割り当てられる実施形態において、柔軟な第１の部材１０８（例えば、柔軟な第１の部材１０８の第２のセグメント１０８Ｂ）、または柔軟な第２の部材１１０（例えば、柔軟な第２の部材１１０の第２のセグメント１１０Ｂ）のいずれか（または両方）における、１または複数の非導電性セグメントによって、アンテナ１１２はグランドプレーンから電気的に分離されたままである。
【００３７】
特に、２つのセグメント１１０Ｂおよび１０８Ｂが、アンテナの導電性１１０Ｂセグメントへの結合を回避するのに十分な距離を残さず、アンテナ構造体にごく近接して接続するとき、複数のアンテナ１１２のグランドプレーンからのそのような電気的隔離は、例えば、柔軟な第２の部材１１０の第２のセグメント１１０Ｂおよび柔軟な第１の部材１０８の第２のセグメント１０８Ｂの両方が導電性材料を用いて製造されるわけではないことを確実にすることによって、達成され得る。実施形態において、柔軟な第２の部材１１０の第１のセグメント１１０Ａに組み込まれるか、そうでなければ組み合わせられる複数のアンテナ１１２の効率性および性能を向上させるように、少なくとも１つの非導電性セグメントが、柔軟な第１の部材１０８の第１のセグメント１０８Ａによって形成されるグランドプレーンと、柔軟な第２の部材１１０の第１のセグメント１１０Ａとの間に配置され得る。
【００３８】
図３Ａ、図３Ｂ、および図３Ｃは、本開示の少なくとも一実施形態に係る、物理的および導電的にハウジング１０６に結合される硬い第１の部材１０８に、物理的および電気的にハウジング１０６に結合される硬い第２の部材１１０と、を有するブレスレット３００の形態の、例としてのウェアラブル電子デバイス１０２を示す。
【００３９】
ブレスレット３００は、第１の端部３１０および第２の端部３１２を有する、硬い第３の部材３０６を含み得る。実施形態において、硬い第３の部材３０６の第１の端部３１０は、同軸ケーブルなどの、複数の導電性要素３１４を介して、電子回路基板１０４に電気的に結合される。実施形態において、硬い第３の部材３０６の第１の端部３１０は、１または複数のヒンジなどの、１または複数の非導電性の回転可能なコネクタ３０２を用いて、第１の部材１０８に旋回可能に結合され得る。そのような非導電性の回転可能なコネクタ３０２が用いられ、硬い第３の部材３０６を第１の部材１０８から物理的に分離して電気的に隔離しながら、硬い第３の部材３０６の第１の端部３１０を第１の部材１０８に回転可能に結合し得る。
【００４０】
実施形態において、硬い第３の部材３０６の第２の端部３１２は、硬い第３の部材３０６を硬い第２の部材１１０に物理的および電気的に結合するよう用いられる、１または複数のラッチ要素３０４を含み得る。したがって、ブレスレット３００が閉じているとき、硬い第３の部材３０６は、１または複数のラッチ３０４を介して、硬い第２の部材１１０に物理的および電気的に結合され、複数の導電体３０８を介して、電子回路基板１０４に電気的に結合される。
【００４１】
第３の部材３０６は、ブレスレット３００のためのアンテナ１１２を提供する。電子回路基板１０４と結合され、ハウジング１０６から延在する複数の導電体３１４は、アンテナ１１２を提供するように、硬い第３の部材３０６に物理的に組み込まれ、組み合わせられ、またはそうでなければ統合される。
【００４２】
実施形態において、ブレスレット３００はループアンテナ（すなわち、硬い第３のセグメント３０６が硬い第２のセグメント１１０に接続されるとき）およびダイポールアンテナ（すなわち、硬い第３のセグメント３０６が硬い第２のセグメント１１０から分断されるとき）を提供する。一実施形態において、硬い第３の部材３０６を硬い第２の部材１１０に結合することによって生成されるループアンテナは、約１８００ＭＨｚの基底共振周波数および基底共振周波数の全ての奇数次高調波で共振し得る。一実施形態において、硬い第２の部材１１０から硬い第３の部材３０６を結合分離することによって生成されるダイポールアンテナは、約７５０ＭＨｚの基底共振周波数および基底共振周波数の全ての奇数次高調波で共振し得る。
【００４３】
いくつかの実装において、電子デバイス１０４はループアンテナ（すなわち、閉じたブレスレット）およびダイポールアンテナ（すなわち、開いたブレスレット）をアンテナの動作周波数にインピーダンスマッチングさせるために有用な、１または複数のマッチング回路を含み得る。実施形態において、ユーザの手首まわりのブレスレット３００の適合度は、アンテナ１１２の効率性に影響し得る。例えば、ブレスレット３００がユーザの手首に密に適合しているとき、ユーザの手首と広い範囲で接触する結果として生じる離調、およびユーザの手によって生じるエネルギー損失に起因して、大幅な減衰が生じ得る。別の例において、ブレスレットとユーザの手首との間の接触が数カ所（すなわち、２カ所）の位置に限定されるように、ブレスレット３００がユーザの手首に緩く適合しているとき、生じる減衰はより少なくなり得る。
【００４４】
図４は、本開示の少なくとも一実施形態に係る、ウェアラブル電子デバイス１０２に通信可能に結合されたウェアラブルアンテナシステムを含む、示される方法４００の高レベルのフロー図である。方法４００は、４０２で開始する。
【００４５】
４０４で、任意の数のアンテナ１１２が、ハウジング１０６に配置される電子デバイス１０４に導電的に結合される。そのようなアンテナ１１２は、１または複数の現在または将来のセルラ周波数帯域において動作する１または複数のアンテナを含み得る。セルラ周波数帯域の例は、８２４ＭＨｚから９６０ＭＨｚ、および１７１０ＭＨｚから２１７０ＭＨｚである。そのようなアンテナ１１２は、１または複数の現在または将来のＷｉ−ＦｉまたはＢＬＵＥＴＯＯＴＨ（登録商標）動作周波数において動作する、１または複数のアンテナを含み得る。Ｗｉ−ＦｉまたはＢＬＵＥＴＯＯＴＨ（登録商標）周波数の例は２．４ＧＨｚである。そのようなアンテナ１１２は、１または複数の現在または将来のグローバルポジショニングシステム動作周波数において動作する１または複数のアンテナを含み得る。グローバルポジショニングシステム周波数の例は１．５７５ＧＨｚである。
【００４６】
４０６で、複数のアンテナ１１２のうち少なくともいくつかが、電子デバイス１０４の少なくとも部分のまわりに配置されたハウジング１０６の１または複数の外面を介して、電子デバイス１０４から延在する。
【００４７】
４０８で、第１の部材１０８が、ハウジング１０６上の第１の位置に、物理的および導電的に結合する。いくつかの実装において、第１の部材１０８およびハウジング１０６は、第１の部材１０８とハウジング１０６との間の旋回可能な接続を提供する、１または複数の固定具または同様の取り付けデバイスを用いて、機械的および電気的に結合され得る。一例において、１または複数の固定具または取り付けデバイスは、１または複数の軸に沿って、または１または複数の軸を中心として動くこと（すなわち、回転すること）を許容する、１または複数のピンまたは同様のデバイスを含み得る。いくつかの実装において、第１の部材１０８およびハウジング１０６は、物理的および電気的接続を提供するように、互いに固着させられ得るか、そうでなければ、互いに恒久的に、または着脱可能に取り付けられ得る。例えば、第１の部材１０８は、ハウジング１０６の少なくとも部分と一体に形成され得る。
【００４８】
４１０で、第２の部材１１０はハウジング１０６上の第２の位置に物理的に結合する。実施形態において、第１の部材１０８がハウジング１０６に取り付けられる第１の位置と、第２の部材１１０がハウジング１０６に取り付けられる第２の位置とは、第１の距離だけ分離され得る。いくつかの実装において、第１の部材１０８がハウジング１０６に取り付けられる第１の位置と、第２の部材１１０がハウジング１０６に取り付けられる第２の位置とは、第１の部材１０８と第２の部材１１０を分離する第１の距離がハウジング１０６自体の長さとなるように、ハウジング１０６の互いに対向する側に置かれ得る。
【００４９】
いくつかの例において、第１の部材１０８の導電性の第１のセグメント１０８Ａは、第２の部材１１０がハウジング１０６に取り付けられる第２の位置から第２の距離を延長し得る。そのような例において、アンテナ１１２の長さ、ハウジング１０６の長さ（すなわち、第１の距離）、および第１の部材１０８の第１のセグメント１０８Ａの長さ（すなわち、第２の距離）の合計は、複数のアンテナ１１２のうち１または複数によって送信または受信される信号の波長におよそ等しくなり得る。
【００５０】
４１２で、ハウジング１０６の外部から延在する複数のアンテナ１１２のうち少なくともいくつかが、第２の部材１１０の第１のセグメント１１０Ａに組み込まれる。いくつかの実装において、複数のアンテナ１１２は、第２の部材１１０の第１のセグメント１１０Ａの非導電性材料に、少なくとも部分的に封止され得る。いくつかの実装において、複数のアンテナ１１２は、第２の部材１１０の第１のセグメント１１０Ａの全てまたは部分と一体に形成され得る。方法４００は、４１４で終了する。
【００５１】
図５は、本開示の少なくとも一実施形態に係る、ヒンジ式ブレスレット３００の形態のウェアラブル電子デバイス１０２に通信可能に結合されたウェアラブルアンテナシステムを含む、示される方法５００の高レベルのフロー図である。１または複数のブレスレットの実施形態において、第３の硬い部材が、硬い第３の部材３０６の第１の端部に電子回路基板１０４を電気的に結合する１または複数のアンテナ１１２のうち少なくとも部分を提供し得る。そのような例において、ブレスレット３００全体が、閉じたときにループアンテナとして、および、開いたときにダイポールアンテナとして、機能し得る。そのような実施形態において、第１の部材１０８の全てまたは部分、および、第２の部材１１０の全てまたは部分が、硬くあり得、ハウジング１０６と一体に形成され得る。図３Ａ〜図３Ｃに関連して、上に詳細に示されて説明されるように、硬い第３の部材３０６の第１の端部３１０は、１または複数の非導電性ヒンジ３０２または同様のものを介して、第１の部材１０８に旋回可能に結合され得る。硬い第３の部材３０６の第２の端部３１２は、第２の部材１１０に着脱可能に、物理的および電気的に結合され得る。方法５００は、５０２で開始する。
【００５２】
５０４において、硬い第３の部材３０６の第１の端部は、１または複数の、ヒンジ式接続または旋回可能な接続によって、硬い第１の部材１０８と旋回可能に結合する。いくつかの実装において、硬い第３の部材３０６の第１の端部は、１または複数の非導電性のピンを介して、硬い第１の部材１０８と旋回可能に結合する。少なくともいくつかの実装において、硬い第３の部材３０６の第１の端部は、硬い第３の部材３０６と硬い第１の部材１０８との間に物理的接触が生じないように、硬い第１の部材１０８から物理的に隔離され得る。
【００５３】
５０６において、硬い第３の部材３０６の第１の端部３１０は、複数の導電体３１２を介して、ハウジング１０６の電子回路基板１０４と導電的に結合する。例えば、少なくとも一実装において、硬い第３の部材３０６の第１の端部３１０は、同軸ケーブルを介して、ハウジング１０６の電子回路基板１０４と導電的に結合する。
【００５４】
５０８で、硬い第３の部材３０６の第２の端部は、硬い第２の部材１１０と、着脱可能に、物理的、および導電的に結合する。硬い第３の部材３０６の、硬い第２の部材１１０への、物理的および導電的結合または接続は、ブレスレット３００をループアンテナとして機能させる。硬い第３の部材３０６の、硬い第２の部材１１０との、物理的および導電的結合の分離または分断は、ブレスレット３００をダイポールアンテナとして機能させる。方法５００は、５１０で完了する。
【００５５】
以下の例は、さらなる実施形態に関する。本開示の以下の例は、デバイスと、方法と、実行されたときに当該方法に基づいて機械に動作を実行させる命令を格納する少なくとも１つの機械可読メディアと、信用された入力セッションを信用された出力セッションと結び付ける方法および／またはシステムに基づいて動作を実行し、前の信用された出力セッションから取得された暗号化済みデータの再利用を防ぐ手段、などの、対象の材料を備え得る。
【００５６】
例１に従って、ウェアラブル電子デバイスが提供される。ウェアラブル電子デバイスは、少なくとも部分的にハウジングに配置される電子回路基板を含み得る。電子回路基板は、ハウジングの表面から延在する少なくとも１つのアンテナに通信可能に結合され得る。ウェアラブル電子デバイスは、四肢に着用されるよう適合された構造体を含み得、構造体は、ハウジングに物理的および導電的に結合された第１の部材と、ハウジングに物理的に結合された第２の部材とを含み、第２の部材は、少なくとも１つのアンテナの少なくとも部分を組み込む。
【００５７】
例２は、例１の要素を含み得、ウェアラブル電子デバイスは、手首に着用されるよう適合され得る。
【００５８】
例３は、第１の部材が、ハウジングに物理的および導電的に結合される導電性の第１のセグメントを備える、例２の要素を含み得る。
【００５９】
例４は、第１の部材が、導電性の第１のセグメントに物理的に結合される非導電性の第２のセグメントをさらに備える、例３の要素を含み得る。
【００６０】
例５は、例３の要素を含み得、そこでは、第２の部材が、非導電性の第１のセグメントを備え、非導電性の第１のセグメントは、ハウジングに物理的に結合され、第２の部材は、非導電性セグメント内に延在する少なくとも１つのアンテナの少なくとも部分を封止することによって、少なくとも１つのアンテナのその部分を組み込む。
【００６１】
例６は、例５の要素を含み得、第１の部材の第２のセグメントを第２の部材に物理的に結合する、少なくとも１つのファスナをさらに含み得る。
【００６２】
例７は、例２の要素を含み得、そこでは、第１の部材および第２の部材は、導電性の硬い部材を備え、硬い第１の部材と硬い第２の部材とは、ハウジングと一体的に形成される。
【００６３】
例８は、例７の要素を含み得、第１の端部および第２の端部を有する導電性の第３の部材をさらに含み得、第１の端部は非導電性のヒンジを介して第１の部材に旋回可能に結合され、第３の部材の第１の端部は第１の部材に物理的に接触しない。例９は、例８の要素を含み得、電子回路基板を第３の部材の第１の端部に導電的に結合する複数の導電体をさらに含み得る。
【００６４】
例１０は、例９の要素を含み得、複数の導電体が同軸ケーブルを備える。
【００６５】
例１１は、例１０の要素を含み得、第３の部材の第２の端部を、第２の部材に物理的および導電的に結合する、少なくとも１つの取り外し可能なラッチをさらに含み得、第３の部材の少なくとも部分は、少なくとも１つのアンテナの少なくとも部分を提供する。
【００６６】
例１２は、例１から１１のいずれかの要素を含み得、ハウジングは、ハウジングへの第１の部材の第１の取り付け点と、ハウジングへの第２の部材の第２の取り付け点との間で測定された第１の長さを有する金属製の材料を備え、第１の部材は、第１の取り付け点から導電性セグメントのエンドポイントまで測定された第２の長さを有する導電性セグメントを備え、少なくとも１つのアンテナの長さ、第１の長さ、および第２の長さの合計は、少なくとも１つのアンテナの動作周波数の波長におよそ等しい。
【００６７】
例１３は、例１から１１のいずれかの要素を含み得、少なくとも１つのアンテナは、約１．５７５ＧＨｚの周波数で動作するアンテナ、約２．４ＧＨｚで動作する送受信機、または、約８２４ＭＨｚから約９６０ＭＨｚ、および約１７１０ＭＨｚから約２１７０ＭＨｚのいずれかの周波数帯域で動作する送受信機、を含む。
【００６８】
例１４は、例１から１１のいずれかの要素を含み得、少なくとも１つのアンテナは、約１．５７５ＧＨｚの周波数で動作する第１のアンテナと、約８２４ＭＨｚから約９６０ＭＨｚの周波数帯域、または約１７１０ＭＨｚから約２１７０ＭＨｚの周波数帯域で動作する第２のアンテナと、を含む。
【００６９】
例１５は、例１４の要素を含み得、電子回路基板は、第１のアンテナと第２のアンテナとの間の隔離を向上するように、第１のアンテナと通信可能に結合されるローパスマッチング回路と、第２のアンテナと通信可能に結合されるハイパスマッチング回路とをさらに含み得る。
【００７０】
例１６に従って、少なくとも１つのアンテナをウェアラブル電子デバイスと組み合わせる方法が提供される。方法は、少なくとも１つのアンテナを、少なくとも部分的にハウジングに配置される電子回路基板に、導電的に結合する段階と、電子回路基板からハウジングの外部の位置へ、少なくとも１つのアンテナを延在させる段階とを含み得る。方法は、第１の部材の第１の端部を、ハウジングの第１の位置に物理的および導電的に結合する段階をさらに含み得る。方法は、第２の部材の第１の端部をハウジングの第２の位置に物理的に結合する段階であって、ハウジングの第２の位置がハウジングの第１の位置から第１の距離だけ分離された段階と、第２の部材に少なくとも１つのアンテナを組み込む段階と、をさらに含み得る。
【００７１】
例１７は、例１６の要素を含み得、第２の部材に少なくとも１つのアンテナを組み込む段階は、第２の部材の第１の端部の少なくとも部分を形成する非導電性材料に、少なくとも１つのアンテナの少なくとも部分を、少なくとも部分的に封止する段階を含み得る。
【００７２】
例１８は、例１６の要素を含み得、第１の部材の第１の端部をハウジングの第１の位置に物理的および導電的に結合する段階は、導電性の硬い第１の部材の第１の端部を、ハウジングの少なくとも部分と一体的に形成する段階を備え、第２の部材の第１の端部をハウジングの第２の位置に物理的に結合する段階は、導電性の硬い第２の部材の第１の端部を、ハウジングの少なくとも部分と一体的に形成する段階を備える。
【００７３】
例１９は、例１８の要素を含み得、少なくとも１つの非導電性のヒンジ式接続によって、導電性の硬い第３の部材の第１の端部を、第１の部材の第２の端部に、物理的に分離させて旋回可能に結合する段階を、さらに含み得る。
【００７４】
例２０は、例１９の要素を含み得、導電性の硬い第１の部材の少なくとも部分を通って延在し、当該第１の部材の少なくとも部分から電気的に隔離されている、複数の導電体を介して、硬い第３の部材の第１の端部を電子回路基板に導電的に結合する段階をさらに含み得る。
【００７５】
例２１は、例１６から２０のいずれかの要素を含み得、少なくとも部分的にハウジングに配置された電子回路基板に、少なくとも１つのアンテナを導電的に結合する段階は、第１のアンテナと第２のアンテナとを、少なくとも部分的にハウジングに配置された電子回路基板に、導電的に結合する段階を含み得る。
【００７６】
例２２は、例２１の要素を含み得、第１のアンテナを、約１．５７５ＧＨｚの周波数、約２．４ＧＨｚの周波数、約８２４ＭＨｚから約９６０ＭＨｚの周波数帯域、または、約１７１０ＭＨｚから約２１７０ＭＨｚの周波数帯域のうち１つで、動作するよう構成する段階をさらに含み得る。
【００７７】
例２３は、例２２の要素を含み得、約１．５７５ＧＨｚの周波数で動作させるよう構成された第１のアンテナに、ローパスマッチング回路を通信可能に結合する段階と、第２のアンテナにハイパスマッチング回路を通信可能に結合する段階と、をさらに含み得る。
【００７８】
例２４は、例１６から２０のいずれかの要素を含み得、少なくとも１つのアンテナを、約８２４ＭＨｚから約９６０ＭＨｚの周波数帯域、または約１７１０ＭＨｚから約２１７０ＭＨｚの周波数帯域で動作させるよう構成する段階を、さらに含み得る。
【００７９】
例２５は、例１６から２０のいずれかの要素を含み得、少なくとも１つのアンテナを約２．４ＧＨｚの周波数で動作させるよう構成する段階をさらに含み得る。
【００８０】
例２６に従って、内側の空間を画定するハウジングを含み得るアンテナシステムが、提供される。アンテナシステムは、少なくとも部分的に内側の空間内に配置された電子回路基板をさらに含み得、電子回路基板は、ハウジングの外面から延在する、導電的に結合された少なくとも１つのアンテナを含む。システムは、第１の端部および第２の端部を有する柔軟な部材をさらに含み得、柔軟な部材は、複数の導電性セグメントおよび複数の非導電性セグメントを含み、第１の端部は、ハウジング上の第１の外部取り付け点に物理的および導電的に結合される、導電性セグメントを含み、第２の端部は、ハウジング上の第２の外部取り付け点に物理的に結合される、非導電性セグメントを含む。当該少なくとも１つのアンテナは、ハウジングの外部から、および、柔軟な部材の第２の端部の非導電性材料内に、それぞれの距離で延在し得る。
【００８１】
例２７は、ハウジングおよび柔軟な部材が四肢のまわりの取付品として適合する、例２６の要素を含み得る。
【００８２】
例２８は、少なくとも１つのアンテナが柔軟な部材の第２の端部内に延在し、非導電性材料によって少なくとも部分的に封止される、例２６の要素を含み得る。
【００８３】
例２９は、柔軟な部材の第１の端部の導電性セグメントが、非導電性材料によって封止される、例２６の要素を含み得る。
【００８４】
例３０に従って、ウェアラブル電子システムが提供される。ウェアラブル電子システムは、少なくとも１つのアンテナを、少なくとも部分的にハウジングに配置される電子回路基板に、導電的に結合する手段を含み得る。ウェアラブル電子システムは、ハウジングの外部の位置へ複数のアンテナのそれぞれを延在させる手段と、第１の部材の第１の端部をハウジングの第１の位置に物理的および導電的に結合する手段と、をさらに含み得る。ウェアラブル電子システムは、第２の部材の第１の端部をハウジングの第２の位置に物理的に結合する手段をさらに含み得、ハウジングの第２の位置は、ハウジングの第１の位置から第１の距離だけ分離される。システムは、少なくとも１つのアンテナを第２の部材に組み込む手段を、さらに含み得る。
【００８５】
例３１は、例３０の要素を含み得、少なくとも１つのアンテナを第２の部材に組み込む手段は、少なくとも１つのアンテナの少なくとも部分を、第２の部材の第１の端部の少なくとも部分を形成する非導電性材料に、少なくとも部分的に封止する手段を含み得る。
【００８６】
例３２は、例３０の要素を含み得、少なくとも１つのアンテナの少なくとも部分を組み込む手段は、導電性の硬い第１の部材の、第１の端部を、ハウジングの少なくとも部分と一体的に形成する手段を含み得る。さらに、第２の部材の第１の端部をハウジングの第２の位置に物理的に結合する手段は、導電性の硬い第２の部材の、第１の端部を、ハウジングの少なくとも部分と一体的に形成する手段を含み得る。
【００８７】
例３３は、例３２の要素を含み得、少なくとも１つの非導電性のヒンジ式接続によって、導電性の第３の部材の第１の端部を、第１の部材の第２の端部と、物理的に分離して旋回可能に結合する手段と、導電性の第３の部材の第１の端部を、第１の部材の第２の端部に、導電的に結合する手段と、導電性の第３の部材の第２の端部を、少なくとも１つの導電性の取り付け可能なラッチを介して、第２の部材の第２の端部に、着脱可能に取り付ける手段と、をさらに含み得る。
【００８８】
例３４は例３３の要素を含み得、第１の部材の第１の端部をハウジングの第１の位置に物理的および導電的に結合する手段は、導電性の硬い第３の部材の第１の端部を、少なくとも１つの非導電性のヒンジ式接続によって、第１の部材の第２の端部と、物理的に分離させて旋回可能に結合する手段を含み得る。
【００８９】
例３５は、例３４の要素を含み得、導電性の硬い第１の部材の少なくとも部分を通って延在し、それから電気的に隔離された、複数の導電体を介して、硬い第３の部材の第１の端部を電子回路基板に導電的に結合する手段をさらに含み得る。
【００９０】
例３６は、例３０から３５のいずれかの要素を含み得、ハウジングに少なくとも部分的に配置された電子回路基板に、少なくとも１つのアンテナを導電的に結合する手段は、少なくとも部分的にハウジングに配置された電子回路基板に、第１のアンテナを導電的に結合し、第２のアンテナを導電的に結合する手段を含み得る。
【００９１】
例３７は、例３６の要素を含み得、第１のアンテナを、約１．５７５ＧＨｚの周波数、約２．４ＧＨｚの周波数、約８２４ＭＨｚから約９６０ＭＨｚの周波数帯域、または、約１７１０ＭＨｚから約２１７０ＭＨｚの周波数帯域、のうち１つで動作させる手段をさらに含み得る。
【００９２】
例３８は、例３７の要素を含み得、約１．５７５ＧＨｚの周波数で動作する第１のアンテナによって受信される信号を、ローパスフィルタリングする手段と、第２のアンテナによって受信される信号を、ハイパスフィルタリングする手段と、をさらに含み得る。
【００９３】
例３９は、例３０から３５のいずれかの要素を含み得、少なくとも１つのアンテナを、約８２４ＭＨｚから約９６０ＭＨｚの周波数帯域、または約１７１０ＭＨｚから約２１７０ＭＨｚの周波数帯域で動作するよう構成する手段をさらに含み得る。
【００９４】
例４０は、例３０から３５のいずれかの要素を含み得、少なくとも１つのアンテナに通信可能に結合された、約２．４ＭＨｚの動作周波数で１または複数の信号を受信する手段をさらに含み得る。
【００９５】
本明細書のあらゆる実施形態において用いられるように、用語「システム」または「モジュール」は、上記の動作のいずれかを実行するよう構成される、例えば、ソフトウェア、ファームウェア、および／または、回路を指し得る。ソフトウェアは、非一時的コンピュータ可読記憶媒体に記録された、ソフトウェアパッケージ、コード、命令、命令セット、および／または、データとして具現化され得る。ファームウェアは、メモリデバイスにハードコーディングされた（例えば、不揮発性の）、コード、命令、もしくは命令セット、および／または、データとして具現化され得る。本明細書のあらゆる実施形態で用いられるように、「回路」は、例えば、ハードワイヤード回路、１または複数の個別の命令処理コアを備えるコンピュータプロセッサなどのプログラマブル回路、ステートマシン回路、ならびに／または、プログラマブル回路、もしくは、例えば、大規模並列性、アナログもしくは量子コンピューティング、ニューラルネットプロセッサなどのアクセラレータのハードウェア実施形態、および、上記の非シリコン実装形態などを含む、将来のコンピューティングパラダイムによって実行される命令を格納するファームウェアなどを、単一で、または任意の組み合わせで備え得る。モジュールは、例えば、集積回路（ＩＣ）、システムオンチップ（ＳｏＣ）、デスクトップコンピュータ、ラップトップコンピュータ、タブレットコンピュータ、サーバ、スマートフォン等の、より大きいシステムの一部を形成する回路として、集合的または個別に、具現化され得る。
【００９６】
本明細書で説明される動作のいずれも、１または複数のプロセッサによって実行されるときに方法を実行する命令を、個別に、または組み合わせて、格納している、１または複数の記憶媒体（例えば、非一時的記憶媒体）を含むシステムにおいて、実装され得る。ここで、プロセッサは、例えば、サーバＣＰＵ、モバイルデバイスＣＰＵ、および／または、他のプログラマブル回路を含み得る。また、本明細書で説明される動作は、１つより多くの異なる物理的位置にある処理構造などの、複数の物理的デバイスをまたいで分散され得ることが意図される。記憶媒体は、例えば、ハードディスク、フロッピー（登録商標）ディスク、光ディスク、コンパクトディスクリードオンリーメモリ（ＣＤ−ＲＯＭ）、コンパクトディスクリライタブル（ＣＤ−ＲＷ）、および磁気光ディスクを含む任意のタイプのディスク、リードオンリーメモリ（ＲＯＭ）、ダイナミックＲＡＭおよびスタティックＲＡＭなどのランダムアクセスメモリ（ＲＡＭ）、消去可能プログラム可能リードオンリーメモリ（ＥＰＲＯＭ）、電気的消去可能プログラム可能リードオンリーメモリ（ＥＥＰＲＯＭ）、フラッシュメモリ、ソリッドステートディスク（ＳＳＤ）、埋め込みマルチメディアカード（ｅＭＭＣ）、固定デジタル入力／出力（ＳＤＩＯ）カード、磁気または光カードなどの半導体デバイス、または、電子命令を格納するために適切な任意のタイプのメディアといった、任意のタイプの有形メディアを含み得る。他の実施形態は、プログラム可能な制御デバイスによって実行されるソフトウェアモジュールとして、実装され得る。
【００９７】
本明細書で利用された用語及び表現は、説明の用語として用いられるものであり、限定するものではなく、そのような用語及び表現の使用において、示された、および説明された特徴の任意の均等物（またはその部分）を除外する意図は全くなく、様々な修正が、特許請求の範囲内で可能であることが理解される。したがって、特許請求の範囲は、そのような均等物を全て対象とすることが意図される。
【図１】
2018523325.tif 000003
【図２Ａ】
2018523325.tif 000004
【図２Ｂ】
2018523325.tif 000005
【図３Ａ】
2018523325.tif 000006
【図３Ｂ】
2018523325.tif 000007
【図３Ｃ】
2018523325.tif 000008
【図４】
2018523325.tif 000009
【図５】
2018523325.tif 000010
【国際調査報告】
2018523325.tif 000011
2018523325.tif 000012